(57)【要約】【課題】壁面に接して設置される便器において、収容空間内の部品の配置自由度を向上する。【解決手段】小便器１０は、壁面４０に接して設置される便器である。小便器１０は、便器本体１２と、便器本体１２の背面側に形成された凹部と、便器本体１２が壁面に設置されたときに、壁面４０と凹部とにより形成される収容空間２４に収容される端子台３６とを備える。端子台３６は、壁面４０に固定される。【選択図】図４
2015105535.tif 000002
【特許請求の範囲】
【請求項１】
壁面に接して設置される便器であって、
便器本体と、
前記便器本体の背面側に形成された凹部と、
前記便器本体が壁面に設置されたときに、前記壁面と前記凹部とにより形成される収容空間に収容される機能部品と、
を備え、
前記機能部品は、前記壁面に固定されることを特徴とする便器。
【請求項２】
前記機能部品は、電気部品であることを特徴とする請求項１に記載の便器。
【請求項３】
前記電気部品は、外部からの配線が接続される端子台であることを特徴とする請求項２に記載の便器。
【請求項４】
前記電気部品は、人体感知センサの制御ユニットであることを特徴とする請求項２に記載の便器。
【請求項５】
当該便器は、小便器であることを特徴とする請求項１から４のいずれかに記載の便器。
【発明の詳細な説明】
【技術分野】
【０００１】
本発明は、便器に関し、特に壁面に接して設置される便器に関する。
【背景技術】
【０００２】
従来より、壁面に設置して使用するタイプの小便器が知られている（例えば特許文献１参照）。このような小便器は、小便器の使用者を検出するための人体感知センサを備える。通常、このセンサの給電・制御用の電気部品は、小便器上部に設けられた収容空間内に収められ、便器本体に固定されている。
【先行技術文献】
【特許文献】
【０００３】
【特許文献１】特開平１１−３４３６５５号公報
【発明の概要】
【発明が解決しようとする課題】
【０００４】
しかしながら、従来の小便器のように給電・制御用の電気部品が便器本体に固定されている構造の場合、収容空間内の空きスペースが狭くなるため、外部配管と接続される接続配管などの他部品の配置が大きく制限される。例えば、リフォーム工事などにおいて外部配管の位置を動かすことが難しい場合、接続配管の位置を調整して対応することになるため、収容空間内において接続配管の配置自由度はできるだけ高いことが望ましい。
【０００５】
本発明は、このような課題に鑑みてなされ、その目的は、収容空間内の部品の配置自由度を向上することのできる便器を提供することにある。
【課題を解決するための手段】
【０００６】
上記課題を解決するために、本発明のある態様の便器は、壁面に接して設置される便器であって、便器本体と、便器本体の背面側に形成された凹部と、便器本体が壁面に設置されたときに、壁面と凹部とにより形成される収容空間に収容される機能部品とを備える。機能部品は、壁面に固定される。
【０００７】
本明細書において、「機能部品」とは、収容空間内に設けられる部品のうち、便鉢洗浄水が通る経路に設けられる部品以外の部品である。この態様によると、機能部品の位置が収容空間において固定されないので、収容空間内の部品の配置自由度を向上できる。
【０００８】
機能部品は、電気部品であってよい。電気部品は、外部からの配線が接続される端子台や、人体感知センサの制御ユニットなどであってよい。これらの電気部品は、収容空間内で占める体積が比較的大きいため、収容空間内の部品の配置自由度を制限しがちである。これらの電気部品を壁面に固定することは、収容空間内の部品の配置自由度を向上する上で非常に有利である。
【０００９】
当該便器は、小便器であってよい。小便器は壁面に接して設置される場合が多い。本発明における機能部品を壁面に設置する構成は、小便器において特に有利である。
【発明の効果】
【００１０】
本発明によれば、収容空間内の部品の配置自由度を向上することのできる便器を提供できる。
【図面の簡単な説明】
【００１１】
【図１】本発明の第１実施形態に係る小便器の正面図である。
【図２】本発明の第１実施形態に係る小便器の背面図である。
【図３】小便器の上部の背面図である。
【図４】蓋の一部を切り欠いた小便器の平面図である。
【図５】小便器の上部の斜視図である。
【図６】本発明の第２実施形態に係る大便器の平面図である。
【図７】本発明の第２実施形態に係る大便器の側面図である。
【発明を実施するための形態】
【００１２】
以下、図面を参照して本発明の実施形態について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１３】
図１は、本発明の第１実施形態に係る小便器１０の正面図である。小便器１０は、壁面に接して設置されるタイプの小便器である。図１に示すように、小便器１０は、陶器製の小便器本体１２と、小便器本体１２の上面に着脱可能に設けられた蓋１４と、小便器本体１２の上部に設けられた人体感知センサ１６と、小便器本体１２の便鉢１８内に洗浄水を供給するためのスプレッダ２０とを備える。
【００１４】
図２は、本第１実施形態に係る小便器１０の背面図である。図２に示すように、小便器本体１２上部の背面側には凹部２２が形成されている。この凹部２２と、該凹部２２の上方に配置される蓋１４と、小便器１０が設置される壁面（図示せず）とにより、収容空間２４が形成される。
【００１５】
図３は、小便器１０の上部の背面図である。また図４は、蓋１４の一部を切り欠いた小便器１０の平面図である。また図５は、小便器１０の上部の斜視図である。図５において、蓋１４は取り外されている。
【００１６】
図３〜図５に示すように、収容空間２４内には複数の部品が収容されている。収容空間２４内に収容される部品は、便鉢洗浄水が通る経路に設けられる部品（以下、「便鉢洗浄水用部品」と呼ぶ）と、それ以外の機能部品とに分けられる。
【００１７】
便鉢洗浄水用部品は、壁面４０（図４参照）から延びる外部配管４２と接続される外部配管接続部３０、外部配管接続部３０の下流に設けられる常閉型の電磁開閉弁３２、外部配管接続部３０とスプレッダ２０（図１参照）との間に設けられる可撓性配管３４などを含む。
【００１８】
本明細書において「機能部品」とは、上述したように収容空間２４内に設けられる部品のうち、便鉢洗浄水用部品を除いた部品である。本第１実施形態において、機能部品は、人体感知センサ１６の給電・制御用の電気部品を含む。給電・制御用の電気部品は、壁面４０から延びる外部配線４４が接続される樹脂製の端子台３６、人体感知センサ１６の制御ユニット３８などを含む。端子台３６は、外部配線４４から供給される交流電圧を所定の電圧の直流電圧に変換し、制御ユニット３８に供給する。制御ユニット３８は、人体感知センサ１６からの信号に基づいて人が小便器１０の前に居るか否かを判定し、該判定に基づいて電磁開閉弁３２に電流を供給する。より具体的には、制御ユニット３８は、小便器１０の前に人が居る状態から居ない状態に変化した場合、電磁開閉弁３２に電流を供給し、電磁開閉弁３２を開状態とする。これにより、便鉢洗浄水が便鉢内に供給され、便鉢が洗浄される。一定時間経過したとき、制御ユニット３８は電磁開閉弁３２への電流の供給を停止し、電磁開閉弁３２を閉状態とする。これにより、便鉢内への洗浄水の供給が停止される。
【００１９】
また機能部品には、人体感知センサ１６の給電・制御用の電気部品以外の部品も含まれる。例えば、機能部品は、制御ユニット３８の上方に設けられ、制御ユニット３８に水がかかるのを防止するための防水カバー３９を含む。
【００２０】
本第１実施形態に係る小便器１０においては、機能部品の一部である端子台３６が壁面４０に固定されている。より詳細には、端子台３６は、金属製の端子台取付用ブラケット４６に固定されている。端子台取付用ブラケット４６が端子台取付用ボルト４８を用いて壁面４０に固定されることで、端子台３６が壁面４０に対して固定される。あるいは、端子台３６にボルト挿通穴を有する固定部を一体的に形成し、端子台取付用ボルトで該固定部を壁面４０に固定する構成としてもよい。
【００２１】
このように本第１実施形態に係る小便器１０では、端子台３６は小便器本体１２に固定されるのではなく、壁面４０に固定される。壁面４０への端子台３６の取付位置は、外部配管４２、外部配管接続部３０、電磁開閉弁３２等の他の部品に干渉しない限り、自由である。これにより、端子台３６を小便器本体１２に固定する場合と比較して、収容空間２４内の部品の配置自由度が向上する。
【００２２】
例えばリフォーム工事においては、壁面４０に設けられた外部配管４２の位置を動かすことが難しい場合がある。このような場合、外部配管接続部３０の位置を収容空間２４内で調整して外部配管４２に取り付けることになる。しかしながら、端子台が小便器本体に取り付けられている小便器では、外部配管接続部を設置したい所に端子台が固定されていると、外部配管と外部配管接続部との接続が困難になるおそれがある。一方、本第１実施形態に係る小便器１０においては、端子台３６を壁面４０に固定する構造を採用したことにより、外部配管４２の配置が端子台３６により阻害されるという事態を防ぐことができる。外部配管接続部３０を所望の位置に配置することが可能となるため、小便器１０の施工性を向上することができる。
【００２３】
また、端子台が小便器本体に取り付けられている小便器では、制御ユニットと端子台の位置が近くなり、制御ユニットのメンテナンスを行うことが難しい場合があった。一方、本第１実施形態に係る小便器１０においては、端子台取付用ブラケット４６を壁面４０に固定する構造を採用したことにより、制御ユニット３８のメンテナンスを容易に行うことができるよう制御ユニット３８から離れた位置に端子台３６を配置することができる。すなわち、本第１実施形態によれば、小便器１０の保守性を向上できる。
【００２４】
また、端子台が陶器製の小便器本体に取り付けられている小便器では、陶器が比較的割れやすい性質を持っているため、端子台取付時に割れ発生しないよう十分に注意する必要があった。一方、本第１実施形態に係る小便器１０においては、壁面４０に端子台３６を固定する構造を採用しているので、製造時の端子台３６の取付に起因する陶器の割れを気にする必要がなくなり、小便器１０の製造性を向上できる。
【００２５】
また、本第１実施形態に係る小便器１０では、端子台取付用ブラケット４６を壁面４０に固定する構造を採用したことにより、収容空間２４の小型化、ひいては小便器本体１２の小型化が可能となるため、コストダウンを図ることができるとともに、意匠性を向上できる。
【００２６】
上記では、端子台３６を壁面４０に固定する実施形態について説明したが、端子台３６に加えて又は代えて、他の部品が壁面４０に固定されてもよい。例えば、制御ユニット３８などの他の電気部品が壁面４０に固定される構成であってもよい。また、電気部品以外にも、防水カバー３９といった機能部品が壁面４０に固定される構成であってもよい。これらの構成の場合も、収容空間２４内の部品の配置自由度を向上することができる。
【００２７】
図６は、本発明の第２実施形態に係る大便器６０の平面図である。また、図７は、本発明の第２実施形態に係る大便器６０の側面図である。図６および図７に示す大便器６０は、壁面に接して設置されるタイプの大便器である。
【００２８】
図６および図７に示すように、大便器６０は、陶器製の大便器本体６２と、大便器本体６２の上面に設けられたシャワートイレ６４とを備える。図６および図７に示す大便器６０は、説明のために一部が切り欠かれている。この切り欠かれた部分に示すように、大便器本体６２の背面側には凹部６５が形成されている。この凹部６５と、大便器６０が設置される壁面６１とにより、収容空間６６が形成される。
【００２９】
収容空間６６内には複数の部品が収容される。収容空間６６内に収容される部品は、外部配管に接続される接続パッキン６７などの便鉢洗浄水用部品と、それ以外の機能部品とに分けられる。機能部品は、例えば、人体感知用センサの給電・制御用の電気部品６８を含む。また、機能部品は、着座センサの給電・制御用の電気部品を含んでもよい。また、機能部品は、シャワートイレ６４用のタンクなど非電気部品を含んでもよい。
【００３０】
本第２実施形態においては、機能部品である電気部品６８が壁面６１に固定されている。より詳細には、電気部品６８は、金属製のブラケット６９に固定されている。ブラケット６９が取付用ボルト７０を用いて壁面６１に固定されることで、電気部品６８が壁面６１に対して固定される。
【００３１】
このように本第２実施形態に係る大便器６０では、電気部品６８は大便器本体６２に固定されるのではなく、壁面６１に固定される。壁面６１への電気部品６８の取付位置は、外部配管や便鉢洗浄水用部品に干渉しない限り、自由である。これにより、電気部品６８を大便器本体６２に固定する場合と比較して、収容空間６６内の部品の配置自由度が向上し、その結果、施工性および保守性を向上できる。また、電気部品６８取付時に大便器本体６２の割れを気にする必要がなくなるため、大便器６０の製造性を向上できる。
【００３２】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３３】
１０  小便器、  １２  小便器本体、  １４  蓋、  １６  人体感知センサ、  ２０  スプレッダ、  ２２、６５  凹部、  ２４、６６  収容空間、  ３０  外部配管接続部、  ３２  電磁開閉弁、  ３６  端子台、  ３８  制御ユニット、  ３９  防水カバー、  ４０、６１  壁面、  ４２  外部配管、  ４４  外部配線、  ４６  端子台取付用ブラケット、  ４８  端子台取付用ボルト、  ６０  大便器、  ６２  大便器本体、  ６４  シャワートイレ、  ６８  電気部品。
【図１】
2015105535.tif 000003
【図２】
2015105535.tif 000004
【図３】
2015105535.tif 000005
【図４】
2015105535.tif 000006
【図６】
2015105535.tif 000007
【図７】
2015105535.tif 000008
【図５】
2015105535.tif 000009